(57)【要約】【目的】  外枠に対して開閉自由に蝶着される内枠の開放状態を報知する検出スイッチの作動を確実にすると共に、使用時における該検出スイッチの損傷を防止するようにしたパチンコ機の内枠の開放検出装置を提供する。【構成】  パチンコ機の内枠（１）、若しくは外枠（２）のいずれか一方に検出スイッチ（１１）を、他方に当接部（１０）を形成する。そして、該当接部（１０）にはクリップ形装着部（１３ａ）を介して弾性当接片（１３ｂ）を備えた緩衝部材（１３）を装着し、前記内枠（１）の閉塞に当っては、前記検出スイッチ（１１）の可動片（１１ａ）を前記弾性当接片（１３ｂ）に当接し、その衝撃を吸収すると共に該可動片（１１ａ）の確実な当接を図って正確な作動を得るようにする。【選択図】        図２
2007000555.tif 000002
【特許請求の範囲】
【請求項１】
外枠と、該外枠の一側縁に開閉自由に蝶着される内枠とを有し、前記外枠と内枠のいずれか一方に検出スイッチを、他方に当接部を備えて前記内枠の閉塞時には前記当接部に前記検出スイッチの可動片を当接し、開放時には前記可動片を解放して開放状態を報知手段によって報知するようにしたパチンコ機の内枠開放報知装置において、
前記当接部は突片形に形成し、該当接部に緩衝部材を装着する一方、前記緩衝部材は断面Ｕ字形に形成するクリップ形装着部と、該装着部の当接面側に起される弾性当接片とから構成し、前記当接部に前記装着部を嵌着して前記弾性当接片を前記検出スイッチに対向させ、前記内枠の閉塞時に該検出スイッチの可動片を前記弾性当接片に衝合させるようにしてなるパチンコ機の内枠開放報知装置。
【請求項２】
請求項１の記載において、当接部には一面若しくは両面に係止突起部を、また緩衝部材の装着部には前記係止突起部に係合する受部を形成して嵌着時に係合させ、使用時の脱落を防止するようにしたパチンコ機の内枠開放報知装置。
【請求項３】
請求項１又は２の記載において、緩衝部材から起される弾性当接片は装着部の当接面との間に所要の後退用空間を設けてなることを特徴としたパチンコ機の内枠開放報知装置。
【請求項４】
請求項１乃至３の記載において、緩衝部材はバネ性を有する鋼材を素材にして形成することを特徴としたパチンコ機の内枠開放報知装置。
【発明の詳細な説明】
【技術分野】
【０００１】
本発明は、外枠に対して開閉自由に蝶着される内枠の開放時における開放状態を報知する内枠開放報知装置に関する。
【背景技術】
【０００２】
パチンコ遊技機における内枠は、パチンコ機の略全体の装置類を組付けてあり、外枠を介して遊技場の取付台（所謂「島」）に取付けるようにしてある。この内枠は組付けた装置類に不具合等が生じたとき、或は保守点検の作業等に備えて背面側を開放できるように外枠に対して一側縁で蝶着し、蝶着部を支点にして自由に開放できるようにしてあり、不断は施錠装置によって閉塞した状態に保つようにしてある。
【０００３】
この内枠は、上述したようにパチンコ機の主要な装置が全て組込まれ、特に背面部には賞球を制御する電子部品等が設置されることから無用に開放されることのないよう厳重に管理されているが、不完全な閉塞や、不正行為によって開放されることがあることから、内枠が開放された場合には自動的にこれを報知するため、開放報知装置が設置されているのが普通である。
【０００４】
一般に報知装置は内枠と外枠の召し合せ部分に接触型の検出スイッチを設置し、内枠が閉塞されている状態では、この検出スイッチの可動片（釦）を相手方に当接してこの可動片の後退動を利用してＯＦＦに設定し、開放時には可動片をバネ等の付勢を利用して突出した元の状態に戻し、このときＯＮに変換させて報知ランプ等の報知手段を点燈させるなどして開放状態を報知するようにしている。
【０００５】
従って、内枠の開放報知装置の作動は内枠の開閉操作に連動するものとなっていると同時に、これを検出するスイッチについては内外枠の召し合せ部分における衝合を利用していることから、内枠の閉塞時には常にこの閉塞に伴う衝撃を受けるものとなっている。
検出スイッチの設置に当っては、当然のことながら衝撃を緩和するため、必要な間隔を保つ等の衝突回避策を講じることになるが、内外枠の寸法，組立精度はスイッチの可動片を充分に保護できるものとはなっておらず、従って、内外枠の閉塞に伴う衝突による損傷の危険がある。
【０００６】
従来、パチンコ機において閉塞部分、召し合せ部分に設置される検出スイッチを閉塞時の衝突から保護する装置として、例えば特許文献１及び２に記載される提案がある。
【特許文献１】特開２００２−  ７８９２３号公報。
【特許文献２】特開２００３−３０５２５０号公報。
【０００７】
上記特許文献１，２は開閉体６や、ガラス枠部２６としている所謂ガラス枠を、相手側部材３や、保持枠３０としている内枠に対して閉塞されている状態を報知するための装置を開示したものである。
これらに記載された検出スイッチは、特許文献１にあっては検出器３１を囲んで設ける緩衝体２３で保護するものとしてあり、また特許文献２にあっては、スイッチ５０の押圧ボタン５２とこれに対設する押圧部６０の当接ボタン６２とをそれぞれコイルバネ５４，６４により付勢し、衝突時の衝撃をこのコイルバネにより吸収し、破損を防止するものとしている。
【０００８】
これらの検出スイッチの保護装置は、それぞれ保護する目的の上で充分機能しており、その目的を達成するものとなっているが、しかし、それぞれは装置する部所に予め取付けるための複雑な構造が求められ、またスイッチを防護するための構造が複雑であり、これに伴って部品数が多く、製造コストが高くなるといった問題がある。
【発明の開示】
【発明が解決しようとする課題】
【０００９】
本発明は上述の従来の実情に鑑み、これを改善すべく開発されたものであって、その主たる目的は、構造を簡潔にして製造性を高めること、そして、パチンコ機に対する組付け等取扱いを容易にして製造コストを低廉にし、且つ実施化を容易にしたことにある。
【課題を解決するための手段】
【００１０】
本発明は、上述の目的を達成するため、内枠の開閉状態を検出し、報知する検出スイッチを受ける当接部について改善し、実施化を容易にしたもので、特に、検出スイッチの衝合時における衝撃を確実に緩和してスイッチの損傷等を防止すると同時に、簡潔な構造にしてその製造性を高めると共に、パチンコ機に対する装着性を改善し、取付けを容易にしたことにある。
【００１１】
本発明を更に説明すると、その特徴とするところは、外枠と、該外枠の一側縁に開閉自由に蝶着される内枠とを有し、前記外枠と内枠のいずれか一方に検出スイッチを、他方に当接部を備えて前記内枠の閉塞時には前記当接部に前記検出スイッチの可動片を当接し、開放時には前記可動片を解放して開放状態を報知手段によって報知するようにしたパチンコ機の内枠開放報知装置において、前記当接部は突片形に形成し、該当接部に緩衝部材を装着する一方、前記緩衝部材は断面Ｕ字形に形成するクリップ形装着部と、該装着部の当接面側に起される弾性当接片とから構成し、前記当接部に前記装着部を嵌着して前記弾性当接片を前記検出スイッチに対向させ、前記内枠の閉塞時に該検出スイッチの可動片を前記弾性当接片に衝合させるようにしてなるパチンコ機の内枠開放報知装置を提供することにある。
【００１２】
上記緩衝部材は、パチンコ機の外枠若しくは内枠に対し予め形成しておく突片形の当接部に断面Ｕ字形に形成するクリップ形の装着部を嵌め付けることで装着することができるようにしてある。この装着は、主として装着部の狭持力によって行うようにして、ここには別段の取付け、例えばねじ止め等の止着方法を採ることなく行えるようにしてある。
【００１３】
このため、上記緩衝部材は上記装着部の狭持力を安定的に得る上から、ばね性を有する鋼材、更に言うならば鋼板を素材にして成形するものとしている。
また、装着部は外枠若しくは内枠に予め形成する突片状の当接部に嵌着すべくこの当接部の板厚（肉厚）より狭い開口部を有する断面Ｕ字形に形成している。
この装着部は、検出スイッチに対向する当接面側に弾性当接片を起し、内枠を閉塞する際に検出スイッチの可動片（釦）をこれに当接し、そのばね力を利用して当接時の衝撃を吸収すると同時に、両者間の召し合せ時における間隔の誤差を吸収して衝突の衝撃を吸収するようにしてある。
【００１４】
上記弾性当接片は、装着部の当接面側の一片から切り起すことによって形成することができ、素材のばね性を利用してここに撓み性を付与することができる。この弾性当接片は前記当接面を形成する一片との間に所要の後退空間を設けて起し、当接時の撓みをこの後退空間を利用して吸収するようにする。
【００１５】
一方、本発明は前記当接部に対する緩衝部材の安定的な装着を実現するため、当接部の一面若しくは両面に係止突起部を形成し、またこれに対応させて緩衝部材の装着部には受部を形成して装着時に係合させ、抜止めするようにしたパチンコ機の内枠開放報知装置を提供することにある。
【００１６】
前記係止突起部は、突片形に形成される当接部の一方の面若しくは両面から隆起するように形成し、且つ当接部の先端側から基部に向けて次第に高さを増す隆起状に形成して基部に向う一端に段差を設け、係止部を設けるようにするとよい。
【００１７】
一方、この係止突起部を有する当接部に嵌着される緩衝部材は、断面Ｕ字形に形成する装着部の一片若しくは両片に上記係止突起部に対応した位置に透孔を開設してこれを受部とし、装着時にこの受部に受け入れて両者の係合を図るようにするとよい。尚、前記係止突起部の先端側から基部に向けての高さの増加は、この装着時の爪がの受部の縁への係合を確実にする上で有効に作用することになる。
【００１８】
ところで、検出スイッチ及び当接部は内外枠の閉塞時における召し合せ部において対向した状態で設置されることになるが、上記当接部は検出スイッチとの衝合を確実にするためその一面、つまり当接面を検出スイッチに向けて設置することになる。  
また、この当接部は内枠又は外枠に対して別体に形成し、組付ける構造にしてもよいが、予め内外枠の成形時に一体成形するものとしてもよい。
【００１９】
この様にしてなる本発明の内枠開放報知装置は、内外枠のいずれか一方に当接部を、他方にこの当接部に対応させて検出スイッチを備え、上記当接部に緩衝部材の装着部を嵌着してその当接面側に弾性当接片を向けて装着し、使用に備えることになる。
そして、実際の使用においては外枠に対して内枠を閉じたとき、前記検出スイッチの可動片を前記弾性当接片に当接し、これを押し潰した状態で検出スイッチをＯＦＦの状態に設定し、報知ランプ等の報知手段を切ることになる。その一方、内枠の開放時には前記可動片の押圧を解いて検出スイッチをＯＮに変換し、前記報知手段に通電して点燈させる等報知状態を作ることになり、更には前記弾性当接片の復元力によって元に戻し、次の内枠の閉塞に備えることになる。
【発明の効果】
【００２０】
従って、上記の構成から本発明によれば、緩衝部材を当接部に嵌着するだけで装着することができるためパチンコ機に対する設置作業が極めて容易であると共に、緩衝部材には装着部と弾性当接片が一体に形成されることからその組合せ作業等が不要であり、製造性に優れる利点がある。
また、上記緩衝部材につき鋼板等ばね性を有する素材により形成する場合においては、装着部自体の装着力が高くなることから安定的に取付けが可能となる一方、この装着部から起される弾性当接片はプレス加工等による切り起しによって一体的に形成することが可能であることから、容易に設けることができ、しかも装着部に対する起し角度を指先や工具によって簡単に調節できることから、検出スイッチとの当接位置の調整を簡単に行うことができる利点がある。
【発明を実施するための最良の形態】
【００２１】
次に、本発明の実施の形態を添付する図面に基づき説明することにする。
図１は、本発明を実施するパチンコ機の下半部を省略した上半部の正面図であり、図２は図１のＡ−Ａ線に沿って断面とした要部の拡大縦断面図であり、図３は外枠における緩衝部材の取付位置を説明する前面側からみた斜視図、図４は図３と同様に背面側からみた斜視図であり、図５は外枠に形成する当接部の拡大斜視図である。
【００２２】
図面の符号１は、パチンコ遊技機の内枠であり、２はこの内枠１を一側縁部においてヒンジ部３を介して開閉自由に蝶着する外枠である。
内枠１は、基枠４の前面に装飾を施したガラス枠５を開閉自由に蝶着し、背面側には機構部品を装備するための基枠４と一体をなす機構板６を備え、この機構板６の前面側に遊技盤（図示せず）を収め、前記ガラス枠５のガラス７によって閉塞する窓８を通して視認できるようにしてある。
【００２３】
外枠２は、図３，図４に示したように縦長矩形の枠に形成してあり、開口する前面の左方の上下に内枠１を蝶着するヒンジ部３の各一方のヒンジ片３ａを向い合せ備え、これらの片に内枠１の蝶着側の一側縁の上下に設ける他方のヒンジ片３ｂ（下方のヒンジ片３ｂを省略する）を軸着することにより開閉自由に支持できるようにしてある。
そして、この外枠２は内枠１との召し合せ側（右側縁部側）に近い上枠部２ａの前縁部に凹部９を形成し、この凹部９の奥に当接部１０を垂下形成している。
【００２４】
上記当接部１０は内枠１の開閉自由端側となる召し合せ側の上部背面に後向きに設ける検出スイッチ（マイクロスイッチ）１１の可動片１１ａに対向して設けてある。従って、内枠１がヒンジ部３を支点に回動閉塞されると、内枠１の前面部に向けて上記可動片１１ａが侵入することになり、この動きに伴って検出スイッチ１１はＯＮ又はＯＦＦすることになる。
【００２５】
ここに示す外枠２は、アルミ合金を素材にダイキャストフレームとして一体的に成形してあり、この成形に併せて前記当接部１０を同時に成形するものとしてある。
この当接部１０につき更に詳述すると、上記当接部１０は図５に拡大して示したように内枠１の前縁部に凹部９を形成するのに併せて、前縁部に沿って設けるリブ１２を後退させ、この後退したリブ１２に接続させて一体的に形成するものとしており、ここでは検出スイッチ１１の可動片１１ａに対向するように下に向けてリブを延長させてあり、その前面と後面に緩衝部材１３を係止するための係止突起部１４，１５を設けてある。
【００２６】
緩衝部材１３は、図６乃至図１０に示すようにクリップ形の装着部１３ａと弾性当接片１３ｂからなり、ここではばね性を有した鋼板をプレス成形によって一体的に形成するものとしている。
平板の状態からＵ字形に折曲げて形成される装着部１３ａは、対向する２片１６，１７の間隔を前記当接部１０の厚みより狭くし、それぞれの先端縁１６ａ，１７ａを外に向けて広がるように屈折させてあり、更には、一方の片１６の先端縁１６ａに片１６の一部を打抜いて内向きの爪１８を起し、また他方の片１７には片の中央部を切り抜いて受部１９を形成するようにしている。
【００２７】
上記爪１８，受部１９は、前記当接部１０の前面と後面に隆設する係止突起部１４，１５を掛止めるためのものであり、爪１８は前面側の係止突起部１４の基部側の段部に係合するようにしてあり、受部１９は係止突起部１５を嵌め入れて抜け出しが阻止されるようにしてある。
【００２８】
一方、弾性当接片１３ｂは前記装着部１３ａの当接面側の片１６の一側縁からこの片１６の表面側に向けて折り返すように延設したものであり、この当接片１３ｂと片１６との間には検出スイッチ１１の可動片１１ａを受けたとき後退可能な空間が設けられている。
【００２９】
上記構成される緩衝部材１３は、外枠２の上枠部２ａから垂下する当接部１０に向けてその装着部１３ａを図３に示したよう下から臨ませ、片１６と片１７の間に受け入れるように押し付けることで装着される。
上記装着部１３ａの片１６，１７に形成した先端縁１６ａ，１７ａの広がりは、当接部１０の受け入れを誘導することになり、上記押付けに伴って片１６と片１７は一旦間隔を拡張させ、爪１８が係止突起部１４に、また受部１９に他方の係止突起部１５が嵌合したとき、弾性復元力により閉じて装着を完了することになる。この装着によって弾性当接片１３ｂが外枠の前面側に向き、内枠１の閉塞時にスイッチの可動片１１ａに向き合うことになる。
【００３０】
図２は、内枠１の閉塞時に検出スイッチ１１の可動片１１ａが弾性当接片１３ｂに当接して検出スイッチ１１内に押込められ、ＯＦＦの状態となったのを示している。弾性当接片１３ｂはこの状態において片１６との間に後退の空間を残し、可動片１１ａを弾力的に押圧した状態を保つことになる。
従って、内枠１を閉塞する際、外枠に対して強く閉じられても、検出スイッチ１１の可動片１１ａは弾性当接片１３ｂに対して衝突することになっても、弾力的に受けられる結果、また内枠１が完全に閉塞されたとき上記弾性当接片１３ｂには後退する空間があって弾性を保有することから、検出スイッチ１１はこの閉塞に伴う強い衝撃から完全に保護されることになる。
【００３１】
また、前記緩衝部材１３はばね性を有した鋼板を材料にしてプレス成形によって成形できると同時に、素材のばね性を利用して外枠の当接部１０に押し付ける操作で簡単に装着することができるため、前述従来の緩衝手段に比較して製造性において、また取扱いの容易性において優れた利点がある。
【００３２】
更に本発明の上記緩衝部材は、検出スイッチの可動片１１ａを受ける弾性当接片１３ｂが片１６から起されたものであることから、内枠の閉塞時に可動片１１ａとの間に当接時の不具合を生じた場合、素材の変形性を利用して起き上りの角度を指先によって、或は工具によって変え調節することが可能であることから、取付使用時における調整が簡単にできる利点がある。
【００３３】
尚、図面の実施の形態では内枠１に検出スイッチ１１を備え、外枠２に当接部１０を形成し、これに緩衝部材１３を装着する場合につき説明したが、内枠１に当接部１０の形成が可能な場合は、内外枠を逆にして検出スイッチ１１と当接部１０を設けるようにしてもよい。
また、上記当接部１０について垂下する状態で形成する場合について説明したが、例えば図示しない外枠の下枠部に上向きに起立した状態に形成して緩衝部材１３を上から嵌め付けるものとしても実施することは可能である。  
【図面の簡単な説明】
【００３４】
【図１】本発明を実施するパチンコ機の下半部を省略した上半部の正面図。
【図２】図１のＡーＡ線に沿って断面とした要部の拡大縦断面図。
【図３】外枠における緩衝部材の取付位置を説明する前面側からみた斜視図。
【図４】外枠における緩衝部材の取付位置を説明する背面側からみた斜視図。
【図５】外枠に形成する当接部の拡大斜視図。
【図６】緩衝部材の拡大斜面図。
【図７】緩衝部材の拡大正面図。
【図８】緩衝部材の拡大平面図。
【図９】緩衝部材の拡大側面図。
【図１０】図７の中央縦断右側面図である。
【符号の説明】
【００３５】
１              内枠
２              外枠
２ａ            外枠の上枠部
１０            当接部
１１            検出スイッチ
１１ａ          検出スイッチの可動片
１３            緩衝部材
１３ａ          緩衝部材の装着部
１３ｂ          緩衝部材の弾性当接片
１４，１５      係合突起部
１６，１７      装着部の２片
１８            係合突起部を係止する爪
１９            係合突起部を係止する受部
【図１】
2007000555.tif 000003
【図２】
2007000555.tif 000004
【図３】
2007000555.tif 000005
【図４】
2007000555.tif 000006
【図５】
2007000555.tif 000007
【図６】
2007000555.tif 000008
【図７】
2007000555.tif 000009
【図８】
2007000555.tif 000010
【図９】
2007000555.tif 000011
【図１０】
2007000555.tif 000012